(57)【特許請求の範囲】
【請求項１】
コネクタ電線付きプロテクタにおいて、
樹脂製のプロテクタ本体と、このプロテクタ本体内に収納される複数の電線と、この複数の電線の少なくとも一端に接続されるコネクタとを備え、このコネクタを接続した前記複数の電線を前記プロテクタ本体内に保持して収納すると共に、該プロテクタ本体に前記コネクタを係止させた後で、これら複数の電線とコネクタ及びプロテクタ本体を金型内にセットして樹脂でインサート成形して成ることを特徴とするコネクタ電線付きプロテクタ。
【請求項２】
請求項１記載のコネクタ電線付きプロテクタであって、
前記プロテクタ本体を、水平方向及び垂直方向に屈曲形成したメインプロテクタ本体と、このメインプロテクタ本体の垂直方向に屈曲形成した屈曲部を覆うサブプロテクタ本体とで構成し、前記メインプロテクタ本体内の底壁に前記複数の電線を保持する保持部を設けると共に、該メインプロテクタ本体の屈曲部の前記コネクタに対向する位置に該コネクタの係止部に係止される係合部を設ける一方、前記サブプロテクタ本体に前記メインプロテクタ本体の屈曲部の係止部に係止される係合部を設けたことを特徴とするコネクタ電線付きプロテクタ。
【請求項３】
コネクタ電線付きプロテクタの製造方法において、
複数の電線の少なくとも一端にコネクタを接続し、次に、この複数の電線を樹脂製のプロテクタ本体内に保持して収納すると共に、該プロテクタ本体に前記コネクタを係止させ、次に、これら複数の電線とコネクタ及びプロテクタ本体を金型内にセットして樹脂でインサート成形することを特徴とするコネクタ電線付きプロテクタの製造方法。
【発明の詳細な説明】
【０００１】
【発明の属する技術分野】
本発明は、コネクタを接続した複数の電線（導電性の芯線と該芯線を覆う絶縁体より成る被覆電線で複数束となってワイヤハーネスと成るもの）を樹脂製のプロテクタ本体内に収納してインサート成形（モールド成形）して成るコネクタ電線付きプロテクタ及びその製造方法に関する。
【０００２】
【従来の技術】
この種のコネクタ付きインサート成形品として、図６〜図８に示す特開平１０−２７２６５０号公報に開示されたものがある。このコネクタ付きインサート成形品１は、図６に示すように、平面略Ｕ字状に二次成形された合成樹脂製のハウジング２の略中央に垂直方向に開口したフード状の第１コネクタ部３を有すると共に、該ハウジング２の一端側に水平方向に開口したフード状の第２コネクタ部４を有する。
【０００３】
また、図７，図８に示すように、コネクタ付きインサート成形品１は、合成樹脂製で平面略Ｕ字状の一次成形品５の複数の保持溝６，７，８内に複数の断面丸形で導電性金属の線材９を収めた後、これら一次成形品５の各保持溝６，７，８の部分と各線材９を樹脂にインサート成形することにより前記各コネクタ部３，４を二次成形して成る。
【０００４】
尚、各線材９は各保持溝６，７，８に対応させて非接触状態を保ちつつ予め屈曲形成されていて、その各コネクタ部３，４側の両端部９ａ，９ｂはタブ状に形成されている。
【０００５】
【発明が解決しようとする課題】
しかしながら、前記従来のコネクタ付きインサート成形品１では、各線材９の配線経路が複雑になった場合に該各線材９の屈曲形成が困難になったり、一次成形品５の各保持溝６〜８への各線材９の組み付け作業が困難になってコスト高になったり、各線材９同士が接触してショートしたりする等の問題が発生した。
【０００６】
そこで、本発明は、前記した課題を解決すべくなされたものであり、電線の配線経路が複雑になってもプロテクタ本体にて配線経路を形成することにより、複数の電線を配線経路に合わせて簡単に屈曲させることができ、かつ各電線同士が接触してもショートすることがない低コストのコネクタ電線付きプロテクタ及びその製造方法を提供することを目的とする。
【０００７】
【課題を解決するための手段】
請求項１の発明は、コネクタ電線付きプロテクタにおいて、樹脂製のプロテクタ本体と、このプロテクタ本体内に収納される複数の電線と、この複数の電線の少なくとも一端に接続されるコネクタとを備え、このコネクタを接続した前記複数の電線を前記プロテクタ本体内に保持して収納すると共に、該プロテクタ本体に前記コネクタを係止させた後で、これら複数の電線とコネクタ及びプロテクタ本体を金型内にセットして樹脂でインサート成形して成ることを特徴とする。
【０００８】
このコネクタ電線付きプロテクタでは、複数の電線の配線経路がプロテクタ本体にて形成されるため、配線経路が複雑になっても複数の電線が簡単に屈曲されて配線される。また、複数の電線同士が接触してもショートすることはない。
【０００９】
請求項２の発明は、請求項１記載のコネクタ電線付きプロテクタであって、前記プロテクタ本体を、水平及び垂直方向に屈曲形成したメインプロテクタ本体と、このメインプロテクタ本体の垂直方向に屈曲形成した屈曲部を覆うサブプロテクタ本体とで構成し、前記メインプロテクタ本体内の底壁に前記複数の電線を保持する保持部を設けると共に、該メインプロテクタ本体の屈曲部の前記コネクタに対向する位置に該コネクタの係止部に係止される係合部を設ける一方、前記サブプロテクタ本体に前記メインプロテクタ本体の屈曲部の係止部に係止される係合部を設けたことを特徴とする。
【００１０】
このコネクタ電線付きプロテクタでは、プロテクタ本体を構成するメインプロテクタ本体とサブプロテクタ本体により水平及び垂直方向に屈曲した複雑な配線経路が形成され、また、メインプロテクタ本体内の保持部により複数の電線が複雑な屈曲状態でも簡単かつ確実に保持される。
【００１１】
請求項３の発明は、コネクタ電線付きプロテクタの製造方法において、複数の電線の少なくとも一端にコネクタを接続し、次に、この複数の電線を樹脂製のプロテクタ本体内に保持して収納すると共に、該プロテクタ本体に前記コネクタを係止させ、次に、これら複数の電線とコネクタ及びプロテクタ本体を金型内にセットして樹脂でインサート成形することを特徴とする。
【００１２】
このコネクタ電線付きプロテクタの製造方法では、樹脂製のプロテクタ本体内への電線の組み付け作業が簡単となり、この組み付け作業の簡素化によりコネクタ電線付きプロテクタが短時間でかつ低コストで製造される。
【００１３】
【発明の実施の形態】
以下、本発明の一実施形態を図面に基づいて説明する。
【００１４】
図１は本発明の一実施形態のコネクタ電線付きプロテクタを示す斜視図、図２は同コネクタ電線付きプロテクタのインサート成形前の分解斜視図、図３は同コネクタ電線付きプロテクタの一端のコネクタ側の部分側面図、図４は同コネクタ電線付きプロテクタの他端のコネクタ側の要部を断面で示す説明図、図５は図４中Ｘ−Ｘ線に沿う断面図である。
【００１５】
図１，図２に示すように、コネクタ電線付きプロテクタ１０は、合成樹脂製のプロテクタ本体１１と、このプロテクタ本体１１内に収納される複数（この実施形態では３本）の電線２０と、この複数の電線２０の両端２０ａ，２０ｂに接続される一対のコネクタ２１，２２とを備えていて、この一対のコネクタ２１，２２を接続した複数の電線２０をプロテクタ１１本体内に収納した後で、これら複数の電線２０と一対のコネクタ２１，２２及びプロテクタ本体１１を図示しない金型内にセットして樹脂３０でインサート成形（モールド成形）して成る。
【００１６】
図２に示すように、プロテクタ本体１１は、水平方向及び垂直方向に屈曲形成したメインプロテクタ本体１２と、このメインプロテクタ本体１２の両端側の上，下の垂直方向に屈曲形成された各屈曲部１３，１４のうちの一端側の屈曲部１３を覆うサブプロテクタ本体１６とで構成されている。このメインプロテクタ本体１２は両側壁１２ａ，１２ａと底壁１２ｂとで断面コ字状になっていて、該底壁１２ｂ上に複数の電線２０を保持する略Ｕ字状の溝部１５ａを複数有した保持部としての電線保持部１５を所定間隔毎にそれぞれ一体突出形成してある。
【００１７】
メインプロテクタ本体１２の一端側の屈曲部１３は上方に垂直に延びる垂直部１３ａと水平部１３ｂとで側面略Ｌ字状になっていて、該水平部１３ｂの両側（一方のコネクタ２１の両側面に対向する位置）にはコネクタ２１の底面両側の一対の係止爪（係止部）２１ａ，２１ａに係止される四角枠状の係合枠（係合部）１３ｃをそれぞれ一体形成してある。また、屈曲部１３の垂直部１３ａの両側には一対の係止爪（係止部）１３ｄ，１３ｄを一体突出形成してある。
【００１８】
さらに、メインプロテクタ本体１２の他端側の屈曲部１４は下方に垂直に延びるリブ立ち上げ部１４ａと一対の係止爪（係止部）１４ｂ，１４ｂとで側面略Ｌ字状になっていて、図４に示すように、該一対の係止爪１４ｂ，１４ｂが他方のコネクタ２２の両側の一対の凹部（係合部）２２ａ，２２ａに係止されるようになっている。
【００１９】
サブプロテクタ本体１６の両側壁１６ａ，１６ａのメインプロテクタ本体１２の一端側の屈曲部１３の一対の係止爪１３ｄ，１３ｄに対向する位置には、該一対の係止爪１３ｄ，１３ｄに係止される四角枠状で一対の係合枠（係合部）１６ｂ，１６ｂをそれぞれ一体形成してある。さらに、サブプロテクタ本体１６の両側壁１６ａ，１６ａの一方のコネクタ２１の両側面の中央後端の一対の係止爪（係止部）２１ｂ，２１ｂに対向する位置には、該一対の係止爪２１ｂ，２１ｂに係止される四角枠状で一対の係合枠（係合部）１６ｃ，１６ｃをそれぞれ一体形成してある。
【００２０】
各電線２０は導電性の芯線と該芯線を覆う絶縁体より成る被覆電線であり、複数束となってワイヤハーネスを構成するものである。また、図３に示すように、各電線２０の一端２０ａに接続される一方のコネクタ２１は雌型のものであり、フード部２１ｃ内に複数の雄端子（端子）２１ｄを突出している。
【００２１】
さらに、図５に示すように、各電線２０の他端２０ｂに接続される他方のコネクタ２２は雄型のものであり、そのコネクタハウジング２２ｂに形成された複数の端子収容室２２ｃ内に雌端子（端子）２２ｄを収容してある。
【００２２】
次に、前記構成のコネクタ電線付きプロテクタ１０の製造手順について説明する。まず、図２に示すように、複数の電線２０の両端２０ａ，２０ｂに各コネクタ２１，２２を接続してワイヤハーネス２３を作成する。
【００２３】
次に、このワイヤハーネス２３の各電線２０をプロテクタ本体１１のメインプロテクタ本体１２の底壁１２ｂの各電線保持部１５の溝部１５ａに保持して配索し、また、メインプロテクタ本体１２の一端側の屈曲部１３の一対の係合枠１３ｃ，１３ｃに一方のコネクタ２１の一対の係止爪２１ａ，２１ａを係止させると共に、該メインプロテクタ本体１２の他端側の屈曲部１４の一対の係止爪１４ｂ，１４ｂに他方のコネクタ２２の一対の凹部２２ａ，２２ａを係止させてメインプロテクタ本体１２の両側に一対のコネクタ２１，２２を取り付ける。
【００２４】
さらに、上記メインプロテクタ本体１２の一端側の屈曲部１３の一対の係止爪１３ｄ，１３ｄにサブプロテクタ本体１６の一対の係合枠１６ｂ，１６ｂを係止させると共に、上記一方のコネクタ２１の一対の係止爪２１ｂ，２１ｂにサブプロテクタ本体１６の一対の係合枠１６ｃ，１６ｃを係止させて該メインプロテクタ本体１２の一端側の屈曲部１３に上記コネクタ２１を介してサブプロテクタ本体１６を取り付ける。
【００２５】
そして、これらワイヤハーネス２３を構成する各電線２０と各コネクタ２１，２２及びプロテクタ本体１１を構成するメインプロテクタ本体１２とサブプロテクタ本体１６を金型内にセットして樹脂３０でインサート成形することにより、図１においてインサート成形部分を２点鎖線で示すコネクタ電線付きプロテクタ１０が完成する。
【００２６】
このコネクタ電線付きプロテクタ１０では、複数の電線２０の配線経路をプロテクタ本体１１のメインプロテクタ本体１２にて形成するため、配線経路が複雑になっても複数の電線２０をメインプロテクタ本体１２の形状に合わせて簡単に屈曲させて配線することができる。また、各電線２０は被覆電線を用いているため、電線２０の数を増やして各電線２０同士が接触してもショートすることはなく、高精度のコネクタ電線付きプロテクタ１０を低コストで製造することができる。
【００２７】
また、プロテクタ本体１１を構成するメインプロテクタ本体１２とサブプロテクタ本体１６により水平方向及び垂直方向に屈曲した複雑な電線２０の配線経路を形成することができると共に、メインプロテクタ本体１２の底壁１２ｂ上に一体突出形成された各電線保持部１５により複数の電線２０を複雑な屈曲状態で簡単かつ確実に保持することができる。このように、合成樹脂製のプロテクタ本体１１内への複数の電線２０の組み付け作業を簡素化することができるため、コネクタ電線付きプロテクタ１０を短時間でかつ低コストで製造することができる。
【００２８】
尚、前記実施形態によれば、複数の電線の両端にコネクタをそれぞれ接続した場合について説明したが、電線の一端側にのみコネクタを１個接続したり、複数の電線の両端にコネクタをそれぞれ接続すると共に、該複数の電線の中途より分岐線を引き出して分岐線の端部に更にコネクタを接続しても良い。
【００２９】
【発明の効果】
以上説明したように、請求項１の発明のコネクタ電線付きプロテクタによれば、複数の電線の配線経路をプロテクタ本体にて形成するため、配線経路が複雑になっても複数の電線をプロテクタ本体の配線経路に合わせて簡単に屈曲して配線することができる。また、複数の電線同士が接触してもショートすることはなく、高精度のコネクタ電線付きプロテクタを低コストで製造することができる。
【００３０】
請求項２の発明のコネクタ電線付きプロテクタによれば、プロテクタ本体を構成するメインプロテクタ本体とサブプロテクタ本体により水平方向及び垂直方向に屈曲した複雑な配線経路を形成することができ、かつ、メインプロテクタ本体内の保持部により複数の電線を複雑な屈曲状態で簡単かつ確実に保持することができる。
【００３１】
請求項３の発明のコネクタ電線付きプロテクタの製造方法によれば、樹脂製のプロテクタ本体内への電線の組み付け作業を簡素化することができるため、コネクタ電線付きプロテクタを短時間でかつ低コストで製造することができる。
【図面の簡単な説明】
【図１】本発明の一実施形態のコネクタ電線付きプロテクタを示す斜視図である。
【図２】上記コネクタ電線付きプロテクタのインサート成形前の分解斜視図である。
【図３】上記コネクタ電線付きプロテクタの一端のコネクタ側の部分側面図である。
【図４】上記コネクタ電線付きプロテクタの他端のコネクタ側の要部を断面で示す説明図である。
【図５】図４中Ｘ−Ｘ線に沿う断面図である。
【図６】従来のコネクタ付きインサート成形品の斜視図である。
【図７】上記従来のコネクタ付きインサート成形品の二次成形前の一次成形品及び線材の斜視図である。
【図８】上記従来の一次成形品の要部の平面図である。
【符号の説明】
１０  コネクタ電線付きプロテクタ
１１  プロテクタ本体
１２  メインプロテクタ本体
１２ａ  底壁
１３  屈曲部
１３ｃ  係合枠（係合部）
１３ｄ  係止爪（係止部）
１５  電線保持部（保持部）
１６  サブプロテクタ本体
１６ｂ  係合枠（係合部）
２０  電線
２０ａ，２０ｂ  両端
２１，２２  コネクタ
２１ａ  係止爪（係止部）
３０  樹脂
【図１】
0003681573.tif 000002
【図２】
0003681573.tif 000003
【図３】
0003681573.tif 000004
【図４】
0003681573.tif 000005
【図５】
0003681573.tif 000006
【図６】
0003681573.tif 000007
【図７】
0003681573.tif 000008
【図８】
0003681573.tif 000009